(57)【要約】【課題】袋体の内容物の如何に拘わらず、内容物が開口部付近で滞留して詰まったり、飛散や横漏れすることなく、容易に取り出せることができ、蓋部材が有効活用できる袋体の仮設開口部開閉装置を提供する。【解決手段】第一筒体２と第二筒体３で構成される開口部形成体４には、この軸方向に対して斜交する方向に切断されたような形状の注ぎ口片１８が設けられ、この注ぎ口片１８の全体を収容できる深さを持った容器として構成される蓋部材５が、開口部形成体４に着脱自在に取付けられている。【選択図】図１
2007153393.tif 000002
【特許請求の範囲】
【請求項１】
袋体（Ａ）に形成された開口（Ｂ）から袋体（Ａ）の内部に挿入される挿入部（８）と、前記袋体（Ａ）の開口（Ｂ）から外方に突出される雄ネジ部（９）とを備えた第一筒体（２）と、
この第一筒体（２）の雄ネジ部（９）と螺合される雌ネジ部（１４）を備え、前記袋体（Ａ）に形成された開口（Ｂ）の周縁部分を前記第一筒体（２）との間で挟み込むことで前記第一筒体（２）と共に前記袋体（Ａ）の開口（Ｂ）に固定され、且つ前記第一筒体（２）と共に袋体（Ａ）に対して保形された開口部（２４）を形成する第二筒体（３）と、により開口部形成体（４）を構成し、
この開口部形成体（４）に外嵌状に着脱自在に取り付けられて、この開口部形成体（４）の開口部（２４）を開閉する蓋部材（５）とを具備した袋体の仮設開口部開閉装置（１）であって、
前記開口部形成体（４）には、前記袋体（Ａ）の外方に突出する注ぎ口片（１８）が設けられ、この注ぎ口片（１８）は、前記開口部形成体（４）の軸方向に対して斜交する方向に切断されたような形状とされており、前記蓋部材（５）は、この注ぎ口片（１８）及びその先端部（１８ａ）を含む全体を収容できる深さを持った容器として構成されていることを特徴とする袋体の仮設開口部開閉装置。
【請求項２】
前記開口部形成体（４）には、袋体（Ａ）の内方に突出する掬い片（１０）が設けられ、その掬い片（１０）は、前記開口部形成体（４）の軸方向に対して斜交する方向に切断されたような形状となっていることを特徴とする請求項１記載の袋体の仮設開口部開閉装置。
【請求項３】
前記開口部形成体（４）に設けられた前記注ぎ口片（１８）と前記掬い片（１０）は、それらの先端部（１８ａ，１０ａ）側が一致するように、開口部形成体（４）の軸方向に対して斜交する方向に切断されたようなそれぞれの形状が、開口部形成体（４）の軸方向に対して直交する方向に対して略ね鏡状対称状態とされていることを特徴とする請求項２記載の袋体の仮設開口部開閉装置。
【請求項４】
前記開口部形成体（４）に設けられた前記注ぎ口片（１８）と前記掬い片（１０）の少なくとも一方は、開口部形成体（４）の軸方向に斜交する方向を仮想接線（Ｘ’，Ｘ）とした場合に、この接線（Ｘ’，Ｘ）に対して円弧状に欠ける抉れ部（１９，１１）を有していることを特徴とする請求項２又は請求項３のいずれかに記載の袋体の仮設開口部開閉装置。
【請求項５】
前記開口部形成体（４）に設けられた前記注ぎ口片（１８）と前記掬い片（１０）のそれぞれの抉れ部（１９，１１）の抉れ度合いは、注ぎ口片（１８）の抉れ部（１９）＜掬い片（１０）の抉れ部（１１）の関係であることを特徴とする請求項４記載の袋体の仮設開口部開閉装置。
【発明の詳細な説明】
【技術分野】
【０００１】
本発明は、ペットフード、食料品、薬剤等の各種内容物が充填された袋体を開封した後に、その内容物の取り出しと、残った内容物の保存を容易にするために、袋体の開口に仮設的に取り付けられる開閉装置に関するものである。
【背景技術】
【０００２】
ペットフードや食品等の粒体、粉体等は、袋体に収納されて販売されることが多い。また、最近は環境保護やコストダウンの観点から、薬剤等の詰め替え物をハード容器ではなく、袋体に収容して販売されることも多くなって来ている。
しかし、袋体に充填された内容物は、取り出し難いという欠点があり、また内容物が残った場合に袋体に入れたまま保存するためには、輪ゴム等で袋体の開口を縛っておく必要があるが、その開閉は大変面倒である。
そこで、従来から袋体の開口に仮設的に取り付けられる開閉装置として、次のような提案がなされている。すなわち、外周面に雄ネジが形成された第一の筒体の内孔内に、袋体の開口周縁を挿通し、この内孔から突出させた袋体の開口周縁を、第一の筒体の雄ネジが形成された外周面に折り返し、その折り返した部分に対し第二の筒体を外嵌し、第二の筒体の内周面に形成された雌ネジが第一の筒体の雄ネジに螺合されることで、これらネジの間で袋体の開口周縁を挟み込み、第一の筒体と第二の筒体とで袋体に対して保形された開口部が形成される。さらにこの開口部は、第二の筒体の外周面に設けられた雄ネジに螺合される蓋部材によって開閉自在とされたものが存在する（特許文献１参照）。
【０００３】
また、上記と概ね同様の構成において、第一の筒体の外側から、袋体の開口周縁を被せて、第一の筒体の雄ネジに対して第二の筒対の雌ネジを螺合することで、これらネジの間で袋体の開口周縁を挟み込み、第一の筒体と第二の筒体とで袋体に対して保形された開口部を形成し、更にこの開口部が、第二の筒体に被嵌等される蓋部材によって開閉自在とされたものも存在する（特許文献２参照）。
【特許文献１】実開昭６１−１７８３４０号公報
【特許文献２】特表２００２−５０３６００号公報
【発明の開示】
【発明が解決しようとする課題】
【０００４】
上記従来の装置を、開封した袋体の開口に取り付けると、蓋部材の開閉のみで内容物の取り出し及び保存ができるようになる。しかしながら、何れの従来技術も第一の筒体と第二の筒体とで構成された、袋体に対して保形された開口部（第二の筒体の開口端部）は、開閉装置の密閉性を重視する余り、単なる円筒形状を呈しており、また蓋部材も当該開口部を開閉するだけの単なる扁平な有底円筒形状のものに過ぎなかった。
而して、袋体の内容物を取り出す場合は、一般に袋体をその開口部分が下方に向くように持ち上げると共に揺すって行われる。この場合、開口部が従来のような単なる円筒形状のものでは、袋体の内容物が比較的大きな粒状物や角型の固形物である場合には、その内容物が開口部に集中し、それらの自重と相俟って開口部付近で滞留してしまい、揺するだけでは上手く取り出せないという問題があった。一方、内容物が粉状物の場合にあっては、取り出しの際に開口部から四方八方に飛散したり、流動物の場合には、横漏れする等の問題があった。
【０００５】
そこで、本発明は、上記事情に鑑みてなされたものであって、まず、袋体の内容物の如何を問わず、その内容物が開口部付近で滞留したり、開口部から飛散や横漏れしたりし難い袋体の仮設開口部開閉装置を目的とする。しかも、斯かる目的を達成するにあたり、新たな利便性を付加することをも目的とする。
【課題を解決するための手段】
【０００６】
前記目的を達成するために、本発明は次の技術的手段を講じた。
（１）即ち、本発明に係る仮設開口部開閉装置は、袋体に形成された開口から袋体の内部に挿入される挿入部と、前記袋体の開口から外方に突出される雄ネジ部とを備えた第一筒体と、
この第一筒体の雄ネジ部と螺合される雌ネジ部を備え、前記袋体に形成された開口の周縁部分を前記第一筒体との間で挟み込むことで前記第一筒体と共に前記袋体の開口に固定され、且つ前記第一筒体と共に袋体に対して保形された開口部を形成する第二筒体と、により開口部形成体を構成し、
この開口部形成体に外嵌状に着脱自在に取り付けられて、この開口部形成体の開口部を開閉する蓋部材とを具備した袋体の仮設開口部開閉装置であって、
前記開口部形成体には、前記袋体の外方に突出する注ぎ口片が設けられ、この注ぎ口片は、前記開口部形成体の軸方向に対して斜交する方向に切断されたような形状とされており、前記蓋部材は、この注ぎ口片及びその先端部を含む全体を収容できる深さを持った容器として構成されていることを特徴としている。
【０００７】
このように、袋体の外方に突出する注ぎ口片が、開口部形成体の軸方向に対して斜交する方向に切断されたような形状とされているので、袋体の内容物の如何を問わずその内容物が、開口部付近で滞留して詰まってしまったり、開口部から飛散や横漏れしたりすることなく、容易に取り出せることができる。しかも、蓋部材は、この注ぎ口片の先端部を含む全体を収容できる深さを持った容器として構成されているので、単なる蓋部材としての役割のみならず、注ぎ口片の先端部を保護し、また内容物の取り出し先の容器としての役割を担うことができる。
（２）また、上記に加えて、前記開口部形成体には、袋体の内方に突出する掬い片が設けられ、その掬い片は、前記開口部形成体の軸方向に対して斜交する方向に切断されたような形状とすることができる。
【０００８】
このように、開口部形成体に、袋体の内方に突出する掬い片が、開口部形成体の軸方向に対して斜交する方向に切断さたような形状とされていれば、袋体を開封する際に小さな切り口さえ作れば、その部分に掬い片の先端を挿入して徐々に開口部形成体のフランジ部を含む挿入部を挿入できるので、袋体の開口を大きく開けすぎて、袋体に開口部形成体を取り付けられなくなったり、袋体の密閉性を阻害してしまうような失敗もなくなる。しかも、袋体内に内容物がフルに充填されている場合でも、袋体内に開口部形成体の挿入部を容易に挿入できる。
【０００９】
さらに、掬い片は、袋体の内部において内容物を滞留させることなく、注ぎ口片に向けて案内することができるので、注ぎ口片と相俟って、より好適に内容物を袋体の外部に取り出せることができる。
（３）また、前記開口部形成体に設けられた前記注ぎ口片と前記掬い片は、その先端側が一致するように、開口部形成体の軸方向に対して斜交する方向に切断されたようなそれぞれの形状が、開口部形成体の軸方向に対して直交する方向に対して略ね鏡状対称状態とされていることが好ましい。
【００１０】
このように、注ぎ口片と掬い片のそれぞれの先端側が一致するようになっていると、袋体の内容物が、掬い片、注ぎ口片を通じて取り出し先の容器たる蓋部材に至るまで、よりスムースに案内して取り出しできる。
（４）さらに、前記開口部形成体に設けられた前記注ぎ口片と前記掬い片の少なくとも一方は、開口部形成体の軸方向に斜交する方向を仮想接線とした場合に、この接線に対して円弧状に欠ける抉れ部を有していることが好ましい。
このように、注ぎ口片や掬い片に抉れ部を設けておけば、袋体の外方や内方対して、より広く解放された開口ができるので、袋体の内容物の取り出し、収拾がより好適となる。
（５）ただし、前記開口部形成体に設けられた前記注ぎ口片と前記掬い片のそれぞれの抉れ部の抉れ度合いは、注ぎ口片の抉れ部の方が、掬い片の抉れ部より小さい関係であることが好ましい。これは、主として、掬い片は、袋体の開口から内部に挿入し易くするということと、袋体の内容物をより広く集めるとい機能が重要があるのに対して、注ぎ口片は、取り出した内容物を内容物の取り出し先の受け容器たる蓋部材にこぼさないよう注ぐことが重要だからである。
【発明の効果】
【００１１】
本発明に係る仮設開口部開閉装置を、開封した袋体の開口に取り付けると、蓋部材の開閉のみで内容物の取り出し及び保存ができるようになるばかりか、袋体の内容物の如何を問わず、その内容物が開口部付近で滞留して詰まってしまったり、開口部から飛散や横漏れすることなく、容易に取り出すことができる。しかも、蓋部材は、注ぎ口片の先端部を保護するだけでなく、内容物の取り出し先の容器としての役割を果たすことができる。
【発明を実施するための最良の形態】
【００１２】
以下、本発明の実施の形態を、図面に基づき説明する。
（第一の実施形態）
図１乃至図８は、本発明に係る袋体の仮設開口部開閉装置１の一実施形態を示している。図１及び図２に示すように、本実施形態に係る袋体の仮設開口部開閉装置１は、主として、第一筒体２及び第二筒体３からなる開口部形成体４と、蓋部材５から構成され、ポリプロピレンやポリエチレン等の合成樹脂にて成型され、好ましくは全体が概ね半透明または透明とされている。
【００１３】
第一筒体２は、図３にも示すように、内孔６を備えた筒形状で、後述する袋体Ａの内部に挿入されるフランジ部７を含む挿入部８と、袋体Ａの外方に突出される雄ネジ部９を備えている。
また、フランジ部７をはさんで、雄ネジ部９の反対側（図において下方）には、袋体Ａの内方に突出される掬い片１０が設けられている。この掬い片１０は、前記開口部形成体４の軸方向に対して斜交する方向に切断されたような形状、換言すれば移植小手（スコップ）の先端部のような形状とされている。さらに、掬い片１０は、前記開口部形成体４の軸方向に斜交する方向を仮想接線Ｘとした場合に、この接線Ｘに対して円弧状に欠ける抉れ部１１と円弧状に膨らむ膨らみ部１２とを有し、側面視においてＳ字状のカーブを描く形状とされている。
【００１４】
一方、上記第一筒体２と共に開口部形成体４を構成する第二筒体３は、図４及び５にも示すように、内孔１３を備えた筒形状で、第一筒体２の雄ネジ部９と螺合される雌ネジ部１４を備えている。この第二筒体３には、その雌ネジ部１４に隣接して（図２において上方には）、段部１５を介して頸部１６が設けられ、この頸部１６の外周面には、上方に開口した上方開口部１７ａＬ字形の一対の係合溝１７が第二筒体３の直径方向にに設けられており、この各係合溝１７は、係合膨隆部１７ｂを有している。
また、頸部１６に隣接して（図２において、さらに上方には）、袋体Ａの外方に突出する注ぎ口片１８が設けられている。この注ぎ口片１８は、前記開口部形成体４の軸方向に対して斜交する方向に切断されたような形状、換言すれば移植小手（スコップ）の先端部のような形状とされている。さらに、注ぎ口片１８は、前記開口部形成体４の軸方向に斜交する方向を仮想接線Ｘ’とした場合に、この接線Ｘ’に対して円弧状に欠ける抉れ部１９と円弧状に膨らむ膨らみ部２０とを有し、側面視においてＳ字状のカーブを描く形状とされている。
【００１５】
なお、本実施形態では、注ぎ口片１８の抉れ部１９と前記掬い片１０の抉れ部１１との抉れ度合い（欠け具合）は、注ぎ口片１８の抉れ部１９の方が、掬い片１０の抉れ部１１より小さい関係となっている。一方、注ぎ口片１８の突出長さは、掬い片１０の突出長さよりも大きい関係となっている。
そして、前記蓋部材５は、図６及び７にも示すように、上記第二筒体３の注ぎ口片１８の先端部１８ａを含む全体を収容できる深さを持ったカップ形状の容器として構成されており、その外面の一側には持ち手部２１が設けられている。また、蓋部材５の内周面には、前記第二筒体３の頸部１６の外周面に設けられた一対のＬ字形の係合溝１７と係合する係合突部２２が蓋部材５の直径方向に対峙するように一対宛設けられている。
【００１６】
さらに、蓋部材５には、その外周面又は／及び内周面から視認できるように、この蓋部材５で受け入れた袋体Ａの内容物Ｃの量を計量できる計量目盛り２３が刻設や印刷等の方法で付設されている。
而して、本実施形態における仮設開口部開閉装置１は、次のようにして袋体Ａの開口に固定される。
まず、袋体Ａには、予めその一部をはさみ等で切り取り、第一筒体２の掬い片１０の先端部分が挿入できる程度の開口Ｂを開けておく。そして、第一筒体２の掬い片１０及びフランジ部７等の挿入部８を開口Ｂから袋体Ａの内部に挿入する。
【００１７】
この際、掬い片１０は、開口部形成体４の軸方向に対して斜交する方向に切断されたような形状となっているので、袋体Ａの開口Ｂが、掬い片１０の先端を挿入できる程度の小さな切り口であっても、掬い片１０の先端から徐々に開口Ｂを押し広げて開口部形成体４のフランジ部７を含む挿入部８を挿入することもできるので、袋体Ａの開口Ｂを大きく開けすぎて、袋体Ａに開口部形成体４を取り付けられなくなったり、袋体Ａの密閉性を阻害してしまうような失敗もなくなる。さらに、袋体Ａ内に内容物Ｃがフルに充填されている場合でも、内容物Ｃに邪魔されずに、袋体内Ａに開口部形成体４のフランジ部７を含む挿入部８を容易に挿入できる。
【００１８】
次いで、袋体Ａの開口Ｂから外方に第一筒体２の雄ネジ部９が突出している状態で、この雄ネジ部９に第二筒体３を外嵌し、第二筒体３の雌ネジ部１４を螺合していき、袋体Ａに形成された開口Ｂの周縁部分を第一筒体２のフランジ部７（若しくは雄ネジ部９）と第二筒体３の雌ネジ部１４の下端との間で挟み込んで、第一筒体２と第二筒体３が連結され、一体となって開口部形成体４が構成される。なお、第一筒体２の雄ネジ部９と第二筒体３の雌ネジ部１４との間で袋体Ａに形成された開口Ｂの周縁部分を挟み込む場合には、必ずしもフランジ部７は要しないが、特にこの場合には両ネジ部９，１４の間には袋体Ａの厚み程度のガタが必要であることはいうまでもない。
【００１９】
そして、このように第一筒体２と第二筒体３が連結され、一体となって開口部形成体４が構成され際には、第一筒体２の内孔６と第二筒体３の内孔１３が連通し、袋体Ａに対してその内外を連通する保形された開口部２４が形成される。なお、第一筒体２の内孔６と第二筒体３の内孔１３は、段差なく内周面において面一に連続連通するようになっていることが好ましい。また、このようにして開口部形成体４に設けられた注ぎ口片１８と掬い片１０は、その各先端部１８ａ，１０ａの方向が一致するように、開口部形成体４の軸方向に対して斜交する方向に切断されたようなそれぞれの形状が、開口部形成体４の軸方向に対して直交する方向に対して略ね鏡状対称状態となるように設定されている。
【００２０】
次いで、開口部２４を閉じるには、開口部形成体４を構成する第二筒体３の頸部１６に設けられたＬ字形の一対の係合溝１７の各上方開口部１７ａと、蓋部材５の内周面に設けられた一対の各係合突部２２を一致させて、蓋部材５を頸部１６に外嵌すると共に回動させる。そうすると、各係合突部２２は、各係合溝１７に設けられた係合膨隆部１７ｂを乗り越えて「カチッ」というクリック音とともに嵌り込む。これにより、袋体Ａに対してその内外を連通する開口部２４は、図１及び図１０に示すように閉鎖される。
なお、蓋部材５は、注ぎ口片１８及びその先端部１８ａを含む全体を収容できる深さを持った容器として構成されているので、注ぎ口片１８の先端部１８ａを保護することができる。
【００２１】
一方、開口部２４を開けるには、上記とは逆方向に蓋部材５を回動させて、開口部形成体４から外せばよい。
そして、袋体Ａの内容物Ｃを取り出すには、図８に示すように開口部２４を開けた状態で、袋体Ａを開口部形成体４が下方に向くように持ち上げればよい。
この際、第一筒体２の掬い片１０の先端部１０ａが存在する背面１０ｂが袋体Ａの内面の一辺Ｄに沿うように予め設定しておけば、袋体Ａの内容物Ｃの重みで、掬い片１０が袋体Ａの内面の一辺Ｄに押さえつけられたようにして支持され、袋体Ａの「ヨレ」に起因して、開口部形成体４が袋体Ａに対してブレることなく、注ぎ口片１８を狙い通りの容器等に取り出したり、移し替えることができる。このことは、特に袋体Ａの厚みが薄くて撓む力に対して脆弱な場合には有効である。
【００２２】
また、掬い片１０は、開口部形成体４の軸方向に対して斜交する方向に切断さたような形状とされているので、注ぎ口片１８に向けて袋体Ａの内部において、内容物Ｃを滞留させることなく案内することができる。しかも、掬い片１０は、開口部形成体４の軸方向に斜交する方向を仮想接線Ｘとした場合に、この接線Ｘに対して円弧状に欠ける抉れ部１１と膨らみ部１２とを有し、側面視においてＳ字状のカーブを描く形状とされているので、、抉れ部１１は、袋体Ａの内方に向かって広く開口しており、袋体Ａの内容物Ｃがこの開口部分で滞留することがさらに好適に防止され、第一筒体２の内孔６へとスムースに収拾案内することができる。
【００２３】
そして、第一筒体２の内孔６を経た内容物Ｃは、第二筒体３の内孔１３を経て、注ぎ口片１８へと至るが、この注ぎ口片１８も開口部形成体４の軸方向に対して斜交する方向に切断さたような形状とされているので、袋体Ａの内容物Ｃの種類の如何を問わず、その内容物Ｃが開口部２４付近で滞留して詰まってしまったり、開口部２４から飛散や横漏れしたりすることなく、容易に取り出せることができる。
しかも、この注ぎ口片１８も開口部形成体４の軸方向に斜交する方向を仮想接線Ｘ’とした場合に、この接線Ｘ’に対して円弧状に欠ける抉れ部１９と膨らみ部２０とを有し、側面視においてＳ字状のカーブを描く形状とされているので、抉れ部１９は、袋体Ａの外方に向かって広く開口しており、袋体Ａの内容物Ｃがこの開口部２４で滞留することなく袋体Ａの外部へ取り出され、さらに、膨らみ部２０が、内容物Ｃが四方八方に飛散したり、横漏れするのを好適に防止し、取り出し先に対してスムースに送り出すことができる。
【００２４】
他方、蓋部材５は、蓋部材としての役割のみならず、内容物の取り出し先の容器としての役割を持っているので、一時的な取り出し先の容器とすることができ、本実施形態のように、計量目盛り２３が設けてあれば、必要量を計量しながら内容物Ｃを取り出すのに非常に便利である。特に袋体Ａの内容物Ｃがペットフードのような場合には、ペットの健康を考えてきちっと測りながら与えることができ、非常に有効である。
なお、蓋部材５には、持ち手２１が設けられているので、蓋部材５の操作及び持ち運びに便利なだけでなく、内容物Ｃの重さが比較的小さい場合には、開口部形成体４に蓋部材５を取り付けた状態で、袋体Ａの持ち運びの際の提げ手としても利用することが可能である。
【００２５】
ところで、上記実施形態においては、開口部２４を閉じる構造が、第二筒体３の頸部１６に設けられたＬ字形の一対の係合溝１７と、蓋部材５の内周面に設けられた一対の各係合突部２２とによる係合構造としているが、斯かる構造ではなく、第一筒体２と第二筒体３との螺合構造と同様の構造としてもよい。また、第二筒体３の頸部１６に蓋部材５の内周面を外嵌密着させる無理嵌め構造でもよい。
しかし、第二筒体３の頸部１６に雄ネジ部を設け、蓋部材５の内周面に雌ネジ部を設けるような螺合構造の場合は、蓋部材５の雌ネジ部に袋体Ａの内容物Ｃの残滓等が付着して螺合の邪魔になったり、不衛生になったりすることが考えられるが、上記実施形態の様に蓋部材５側が係合突部２２のような構造のであれば、斯かる問題は生じない。
【００２６】
また、図示しないが、例えば、第二筒体３の頸部１６の外周面において、段部１５に添接するようにシールリングを嵌着して、開口部形成体４と蓋部材５との密閉性を高めたり、第一筒体２のフランジ部７の上方にシールリング添設して、開口部形成体４と袋体Ａとの密閉性を向上させることも可能である。
（第二の実施形態）
図９は、本発明に係る袋体の仮設開口部開閉装置１の第二の実施形態における１筒体２及び第二筒体３からなる開口部形成体４を示している。
【００２７】
この第二の実施形態が上記第一の実施形態と主な異なる点は、第一の実施形態において、第二筒体３に設けられている注ぎ口片１８と同様のものが、第一筒体２の雄ネジ部９に隣接して（図９において上方）に一体的に設けられたところである。
すなわち、第一筒体２の雄ネジ部９に隣接して（図９において上方に）、袋体Ａの外方に突出する注ぎ口片１８が一体的に設けられている。この場合、注ぎ口片１８の外径は、雄ネジ部９の外径よりも若干小さいものとなっている。
従って、本実施形態における第二筒体３には、その頸部１６に隣接する（図において上方には）注ぎ口片１８は、設けられていない。その他の構成は、基本的には第一の実施形態と同様の為、同一符号を付して詳しい説明は省略する。
【００２８】
なお、この第二の実施形態のように、第一筒体２に掬い片１０と注ぎ口片１８を一体に設けた場合には、第二筒体３側に頸部１６は必ずしも必要ではなく、第一筒体２の注ぎ口片１８の外周面に、蓋部材５の係合突部２２と係合するＬ字形の係合溝１７等を設けることができる。また、蓋部材５と開口部形成体４との係合は、係合突部２２とＬ字形の係合溝１７とのような構成ではなく、例えば、第一筒体２の雄ネジ部９を、第二筒体の雌ネジ部１４よりもさらに上方に突出するよう広い範囲に設けて、蓋部材５の係合突起２２に代えて、蓋部材の内周に雌ネジ部を形成して、蓋部材５と開口部形成体４との係合を蓋部材５の雌ネジ部と雄ネジ部９の第二筒体３からさらに上方に突出している部分との螺合構造とすることもできる。
【００２９】
ところで、本発明は、上記実施形態に限定されるものではなく、実施の形態に応じて適宜変更可能である。
【図面の簡単な説明】
【００３０】
【図１】本発明に係る袋体の仮設開口部開閉装置の第一の実施形態の側面図である。
【図２】図１の側面端面に相当する分解図である。
【図３】第一の実施形態の第一筒体の正面図である。
【図４】第一の実施形態の第二筒体の正面図である。
【図５】第一の実施形態の第二筒体の平面図である。
【図６】第一の実施形態の蓋部材の側面図である。
【図７】第一の実施形態の蓋部材の底面図である。
【図８】第一の実施形態における内容物を取り出す状況を示す側面断面図である。
【図９】第二の実施形態の開口部形成体（第一筒体及び第二筒体）の図２に相当する図面である。
【図１０】本発明に係る袋体の仮設開口部開閉装置を袋体に取り付けた状態を示す斜視図である。
【符号の説明】
【００３１】
１      袋体の仮設開口部開閉装置
２      第一筒体
３      第二筒体
４      開口部形成体
５      蓋部材
８      挿入部
９      雄ネジ部
１０    掬い片
１０ａ  掬い片の先端部
１１    掬い片の抉れ部
１４    雌ネジ部
１８    注ぎ口片
１８ａ  注ぎ口片の先端部
１９    注ぎ口片の抉れ部
２４    開口部
Ｘ      仮想接線
Ｘ’    仮想接線
Ａ      袋体
Ｂ      袋体の開口
【図１】
2007153393.tif 000003
【図２】
2007153393.tif 000004
【図３】
2007153393.tif 000005
【図４】
2007153393.tif 000006
【図５】
2007153393.tif 000007
【図６】
2007153393.tif 000008
【図７】
2007153393.tif 000009
【図８】
2007153393.tif 000010
【図９】
2007153393.tif 000011
【図１０】
2007153393.tif 000012